(57)【特許請求の範囲】
【請求項１】
放電電極（70）と、対向電極（60）と、上記放電電極（70）と対向電極（60）との間に電位差を付与する電圧供給部（30）とを備えた放電ユニットであって、
上記放電電極（70）と対向電極（60）とを支持する樹脂製の絶縁部材（41）を備え、
上記放電電極（70）は、金属材料で構成されるとともに、
板状の電極支持板（71）と、
上記電極支持板（71）の側縁部に沿って配列され、上記対向電極（60）に対向するように該電極支持板（71）の側縁部に支持される放電部（73,74）とを有し、
上記絶縁部材（41）は、上記電極支持板（71）における、複数の上記放電部（73,74）のうち両端に配置される放電部（73a,74a）の間の中間領域（71a）を支持する支持部（47）を有し、
上記電極支持板（71）の中間領域（71a）を上記絶縁部材（41）との間で挟んで上記放電電極（70）を支持する固定部材（80）を備え、
上記固定部材（80）は、上記放電部（73,74）を挟んで対向電極（60）と反対側に配置されるとともに該放電部（73,74）と同電位で且つ該放電部（73,74）に沿った形状の庇部（86）を有する導電性部材（80）で構成される
ことを特徴とする放電ユニット。
【請求項２】
請求項１において、
上記電極支持板（71）は、上記複数の放電部（73,74）の配列方向に延びる横長状に形成される
ことを特徴とする放電ユニット。
【請求項３】
請求項２において、
上記支持部（47）は、上記電極支持板（71）の長手方向の中間部を支持するように構成される
ことを特徴とする放電ユニット。
【請求項４】
請求項１において、
上記電極支持板（71）の中間領域（71a）には、開口穴（72）が形成され、
上記絶縁部材（41）は、上記開口穴（72）に嵌合する嵌合部（49）を有する
ことを特徴とする放電ユニット。
【請求項５】
請求項４において、
上記開口穴（72）は、上記複数の放電部（73,74）の配列方向に延びる横長状に形成され、
上記嵌合部（49）は、上記開口穴（72）に嵌合するような横長状に形成される
ことを特徴とする放電ユニット。
【請求項６】
請求項４又は５において、
上記支持部（47）は、支持部本体（48）と、該支持部本体（48）の上端から上方に突出する上記嵌合部としての突起部（49）を有し、
上記支持部本体（48）の上端における上記突起部（49）の周囲には、環状の平面を構成するとともに上記電極支持板（71）が設置される設置面（50）が形成される
ことを特徴とする放電ユニット。
【請求項７】
請求項４乃至６のいずれか１つにおいて、
上記導電性部材（80）は、上記嵌合部（49）が内部に嵌合されるとともに、上記庇部（86）を支持する筒壁部（81）を有する
ことを特徴とする放電ユニット。
【発明の詳細な説明】
【技術分野】
【０００１】
本発明は、放電ユニットに関する。
【背景技術】
【０００２】
従来より、放電電極と対向電極との間で放電を行う放電ユニットが知られている。例えば特許文献１に開示の放電ユニットは、空気調和装置に搭載されている。放電ユニットは、放電針（放電部）を有する放電電極と、放電針の先端に対向する対向電極と、両者の電極に電位差を付与する電圧供給部とを備えている。電圧供給部から放電電極に電圧が供給されると、放電針の先端から対向電極に向かってストリーマ放電が生起する。この放電に伴い空気中で活性種（電子、イオン、ラジカル、オゾン等）が発生する。この活性種により、空気中の有害成分や臭気成分が分解される。
【先行技術文献】
【特許文献】
【０００３】
【特許文献１】特開２０１４−１１９１８６号公報
【発明の概要】
【発明が解決しようとする課題】
【０００４】
上述の放電ユニットにおいて、本願発明者らは、金属製の放電電極と対向電極とを樹脂製の絶縁部材によって支持する構造を考案した。これにより、放電電極と対向電極との相対的な距離を一定に維持しつつ、放電電極と対向電極を絶縁できる。また、本願発明者らは、板状の電極支持板の側縁部に放電部を支持し、電極支持板の両端を絶縁部材で支持する構造を考案した。
【０００５】
ところが、このような支持構造では、放電部と対向電極との電極間距離を最適に維持できないという問題が発生した。即ち、樹脂製の絶縁部材は、金属製の電極支持板と比較して熱膨張係数が大きい。このため、放電ユニットの製造時や使用時において、放電ユニットの周囲温度が変化すると、電極支持板と絶縁部材とが異なる長さで膨張ないし収縮する。具体的に、例えば冬期において、放電ユニットの周囲温度が急激に低下すると、電極支持板よりも絶縁部材の方が大きく収縮する。これにより、電極支持板が厚さ方向に撓んでしまい、電極支持板と対向電極との間の距離、ひいては放電部と対向電極との間の距離を最適に維持できないという問題が発生してしまう。
【０００６】
本発明は、かかる点に鑑みてなされたものであり、その目的は、周囲温度の変化に起因して放電部と対向電極の距離を最適に維持できなくなることを抑制することである。
【課題を解決するための手段】
【０００７】
第１の発明は、放電電極（70）と、対向電極（60）と、上記放電電極（70）と対向電極（60）との間に電位差を付与する電圧供給部（30）とを備えた放電ユニットを対象とし、上記放電電極（70）と対向電極（60）とを支持する樹脂製の絶縁部材（41）を備え、上記放電電極（70）は、金属材料で構成されるとともに、板状の電極支持板（71）と、上記電極支持板（71）の側縁部に沿って配列され、上記対向電極（60）に対向するように該電極支持板（71）の側縁部に支持される複数の放電部（73,74）とを有し、上記絶縁部材（41）は、上記電極支持板（71）における、複数の上記放電部（73,74）のうち両端に配置される放電部（73a,74a）の間の中間領域（71a）を支持する支持部（47）を有し、上記電極支持板（71）の中間領域（71a）を上記絶縁部材（41）との間で挟んで上記放電電極（70）を支持する固定部材（80）を備え、上記固定部材（80）は、上記放電部（73,74）を挟んで対向電極（60）と反対側に配置されるとともに該放電部（73,74）と同電位で且つ該放電部（73,74）に沿った形状の庇部（86）を有する導電性部材（80）で構成されることを特徴とする。
【０００８】
第１の発明では、金属製の放電電極（70）と対向電極（60）とが、樹脂性の絶縁部材（41）によって支持される。これにより、放電電極（70）と対向電極（60）との相対的な位置が決定されるとともに、放電電極（70）と対向電極（60）とが絶縁される。
【０００９】
放電電極（70）では、電極支持板（71）の側縁部に複数の放電部（73,74）が支持される。電圧供給部（30）から放電電極（70）と対向電極（60）との間に電位差が付与されると、放電部（73,74）の先端部から対向電極（60）に向かって放電が行われる。
【００１０】
電極支持板（71）のうち中間領域（71a）が絶縁部材（41）の支持部（47）に支持される。この中間領域（71a）は、電極支持板（71）において、複数の放電部（73,74）のうち最も端に配列される２つの放電部（73a,74a）の間の部位である。つまり、絶縁部材（41）の支持部（47）は、電極支持板（71）の両端部を支持するのではなく、電極支持板（71）の中間寄りの部位を支持する。絶縁部材（41）の支持部（47）が電極支持板（71）の両端部を支持する構造とすると、周囲温度の変化に起因して電極支持板（71）が撓みやすくなる。これに対し、本発明の絶縁部材（41）の支持部（47）は、電極支持板（71）の中間領域（71a）を支持するため、絶縁部材（41）が熱収縮しても、電極支持板（71）の中間領域（71a）が極端に撓んでしまうことがない。従って、周囲温度が変化しても、放電部（73,74）と対向電極（60）との間の距離が大きく変化してしまうことがない。
【００１１】
上述した特許文献１に開示の放電電極では、支持板の端部を折り返してかしめることでこの支持板の内部に放電部を支持する構造としている（特許文献１の図３を参照）。この構成では、放電部の支持構造の加工が煩雑となる。また、放電部が曲がったり折れたりし、放電部と対向電極との間の電極間距離を最適に維持できないという問題が生じ得る。
【００１２】
これに対し、本発明では、放電電極（70）の電極支持板（71）の中間領域（71a）を絶縁部材（41）と固定部材（80）との間に挟み込んで支持する構造としているため、加工も容易である。また、放電部（73,74）に力が作用することがほとんどなく、放電部（73,74）が曲がったり、折れたりすることも回避できる。この結果、放電部（73,74）と対向電極（60）との間の電極間距離の加工精度が向上する。
【００１３】
第１の発明では、放電部（73,74）を挟んで対向電極（60）と反対側に庇部（86）が設けられる。庇部（86）は、放電部（73,74）と同電位に構成され、且つ放電部（73,74）に沿うように形成される。このように、導電性部材（80）の庇部（86）を設けることで、放電部（73,74）から対向電極（60）に向かう放電の安定化が図られる。
【００１４】
この導電性部材（80）と絶縁部材（41）の間に電極支持板（71）の中間領域（71a）が挟まれて支持される。つまり、導電性部材（80）は、放電を安定させるための部材と、放電電極（70）を安定して支持するための固定部材との双方を兼ねている。
【００１５】
第２の発明は、第１の発明において、上記電極支持板（71）は、上記複数の放電部（73,74）の配列方向に延びていることを特徴とする。
【００１６】
第２の発明では、電極支持板（71）が複数の放電部（73,74）の配列方向に延びる形状となる。このため、電極支持板（71）に多数の放電部（73,74）を支持することができ、放電に伴う活性種の生成量を増大できる。
【００１７】
一方、このように電極支持板（71）が横長の形状になると、周囲温度の変化に起因して電極支持板（71）が撓みやすくなる。しかし、絶縁部材（41）の支持部（47）は、電極支持板（71）の中間領域（71a）を支持するため、電極支持板（71）の両端を支持する構成と比較して、電極支持板（71）が撓みにくくなる。従って、周囲温度が変化しても、放電部（73,74）と対向電極（60）との間の距離が大きく変化してしまうことがない。
【００１８】
第３の発明は、第２の発明において、上記支持部（47）は、上記電極支持板（71）の長手方向の中間部を支持するように構成されることを特徴とする。
【００１９】
第３の発明では、絶縁部材（41）の支持部（47）が電極支持板（71）の長手方向の中間部を支持する。つまり、支持部（47）は、電極支持板（71）の重心に近い部分を支持するため、電極支持板（71）を安定して支持できる。
【００２０】
第４の発明は、第１の発明において、上記電極支持板（71）の中間領域（71a）には、開口穴（72）が形成され、上記絶縁部材（41）は、上記開口穴（72）に嵌合する嵌合部（49）を有することを特徴とする。
【００２１】
第４の発明では、電極支持板（71）の中間領域（71a）の開口穴（72）に支持部（47）の嵌合部（49）が内嵌する。これにより、電極支持板（71）と絶縁部材（41）との間の位置決め、ひいては放電電極（70）と対向電極（60）の位置決めが確実になされる。
【００２２】
第５の発明は、第４の発明において、上記開口穴（72）は、上記複数の放電部（73,74）の配列方向に延びる横長状に形成され、上記嵌合部（49）は、上記開口穴（72）に嵌合するような横長状に形成されることを特徴とする。
【００２３】
第５の発明では、中間領域（71a）の開口穴（72）が放電部（73,74）の配列方向に延びる横長状に形成され、絶縁部材（41）の嵌合部（49）が、この開口穴（72）に対応して横長に形成される。このように中間領域（71a）において嵌合部（49）に支持される部分が電極支持板（71）の長手方向に拡大されると、電極支持板（71）の中間領域（71a）の撓みを確実に防止できる。
【００２４】
第６の発明は、第４又は第５の発明において、上記支持部（47）は、支持部本体（48）と、該支持部本体（48）の上端から上方に突出する上記嵌合部としての突起部（49）を有し、上記支持部本体（48）の上端における上記突起部（49）の周囲には、環状の平面を構成するとともに上記電極支持板（71）が設置される設置面（50）が形成されることを特徴とする。
【００２５】
第６の発明の絶縁部材（41）は、支持部本体（48）と、該支持部本体（48）の上端から突出する突起部（49）とを有し、この突起部（49）が嵌合部を構成する。つまり、絶縁部材（41）の突起部（49）が電極支持板（71）の開口穴（72）に嵌合することで、絶縁部材（41）の中間領域（71a）が絶縁部材（41）に支持される。
【００２６】
絶縁部材（41）では、支持部本体（48）の上端における突起部（49）の周囲に環状の設置面（50）が形成され、この設置面（50）に電極支持板（71）が設置される。設置面（50）は、平面状に形成されるため、この設置面（50）により、電極支持板（71）の平面度を保つことができ、ひいては複数の放電部（73,74）と対向電極（60）との間の距離を最適に管理できる。
【００２７】
第７の発明は、  第４乃至第６のいずれか１つの発明において、上記導電性部材（80）は、上記嵌合部（49）が内部に嵌合されるとともに、上記庇部（86）を支持する筒壁部（81）を有することを特徴とする。
【００２８】
第７の発明では、絶縁部材（41）の嵌合部（49）が導電性部材（80）の筒壁部（81）の内部に嵌合する。これにより、絶縁部材（41）、放電電極（70）、及び導電性部材（80）のそれぞれの相対的な位置決めがなされ、ひいては放電部（73,74）と対向電極（60）との位置決めや、放電部（73,74）と庇部（86）の位置決めがなされる。絶縁部材（41）と筒壁部（81）との間に電極支持板（71）が挟まれて支持される。
【発明の効果】
【００２９】
本発明によれば、絶縁部材（41）が電極支持板（71）の中間領域（71a）を支持するので、温度変化に起因する電極支持板（71）の撓みを抑制できる。この結果、放電部（73,74）と対向電極（60）との間の電極間距離を最適に維持でき、所望とする安定した放電を継続して行うことができる。
【００３０】
第１の発明によれば、絶縁部材（41）と固定部材（80）との間に電極支持板（71）の中間領域（71a）を挟み込んで支持する構造としているため、放電部（73,74）の支持構造の簡素化を図ることができ、加工コスト、加工時間を低減できる。また、放電部（73,74）の折れ曲がりを回避でき、安定した放電を行うことができる。
【００３１】
第１の発明によれば、放電部（73,74）における対向電極（60）と反対側に庇部（86）を設けることで、放電部（73,74）から対向電極（60）に向かって安定した放電を行うことができる。庇部（86）を有する導電性部材（80）は、絶縁部材（41）との間に電極支持板（71）を挟み込む固定部材を兼ねるため、部品点数を削減できる。
【００３２】
第２の発明によれば、電極支持板（71）の側縁部に多数の放電部（73,74）を支持でき、放電に伴う活性種の生成量を増大できる。この結果、この放電ユニットの空気浄化性能を向上できる。
【００３３】
第３の発明によれば、絶縁部材（41）によって電極支持板（71）を安定して保持することができ、電極支持板（71）の平面度を保つことができる。この結果、放電部（73,74）と対向電極（60）との間の電極間距離を最適に維持できる。
【００３４】
第４の発明によれば、電極支持板（71）の開口穴（72）に嵌合部（49）を嵌合させることで、放電部（73,74）と対向電極（60）との位置決めを行うことができる。また、簡易な構成により、絶縁部材（41）に電極支持板（71）を支持できる。
【００３５】
第５の発明によれば、中間領域（71a）に横長の開口穴（72）を形成し、この開口穴（72）に横長の嵌合部（49）を嵌合させることで、中間領域（71a）における撓みを一層確実に防止できる。
【００３６】
第６の発明によれば、絶縁部材（41）の支持部本体（48）における突起部（49）の周囲に平面状の設置面（50）を形成し、この設置面（50）に電極支持板（71）を設置している。この結果、電極支持板（71）の平面度を保つことができ、放電部（73,74）と対向電極（60）との間の電極間距離を最適に維持できる。
【００３７】
第７の発明によれば、導電性部材（80）の筒壁部（81）の内部に嵌合部（49）を内嵌させることで、庇部（86）、放電部（73,74）、及び対向電極（60）との間の相対的な位置決めを行うことができ、放電部（73,74）から対向電極（60）に向かって更に安定した放電を行うことができる。また、筒壁部（81）を庇部（86）と放電部（73,74）との間の距離を保つためのスペーサとして利用できる。
【図面の簡単な説明】
【００３８】
【図１】図１は、実施形態に係る空気調和装置の概略の構成図である。
【図２】図２は、放電ユニットのケーシングを前側から視た斜視図である。
【図３】図３は、放電ユニットのケーシングを後側から視た斜視図である。
【図４】図４は、放電ユニットの内部構造を示す斜視図である。
【図５】図５は、放電処理部、及びその周辺機器の組み立て図である。
【図６】図６は、放電処理部、及びその周辺機器の平面図であり、放電処理部から放電電極及びスタビライザを取り外した状態を示すものである。
【図７】図７は、放電処理部、及びその周辺機器の平面図であり、放電処理部からスタビライザを取り外した状態を示すものである。
【図８】図８は、放電処理部、及びその周辺機器の平面図である。
【図９】図９は、図８のIX-IX線断面図である。
【図１０】図１０は、スタビライザの斜視図である。
【図１１】図１１は、図８のXI矢視図である。
【図１２】図１２は、放電電極の平面図である。
【図１３】図１３は、図８のXIII-XIII線断面図である。
【図１４】図１４は、実施形態の変形例に係る放電電極の平面図である。
【図１５】図１５は、実施形態の変形例に係るスタビライザの斜視図である。
【図１６】図１６は、その他の実施形態の第１の例の放電部を拡大した平面図である。
【図１７】図１７は、その他の実施形態の第２の例の放電部を拡大した平面図である。
【図１８】図１８は、その他の実施形態の第３の例の放電部を拡大した平面図である。
【発明を実施するための形態】
【００３９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００４０】
本発明に係る放電ユニット（20）は、空気調和装置（10）に搭載されている。空気調和装置（10）は、室内空間（S）の空気の温度を調節する。
【００４１】
〈空気調和装置の構成〉
図１に示すように、空気調和装置（10）は、天井（C）の裏面に設置されている。空気調和装置（10）は、横長の箱形の空調用ケーシング（11）を備えている。空調用ケーシング（11）の長手方向の一方の側面には、内気ダクト（12）が接続されている。空調用ケーシング（11）の長手方向の他方の側面には、給気ダクト（13）が接続されている。空調用ケーシング（11）の内部には、空気通路（11a）が形成されている。内気ダクト（12）は、流入端が室内空間（S）に連通し、流出端が空気通路（11a）に連通している。給気ダクト（13）は、流入端が空気通路（11a）に連通し、流出端が室内空間（S）に連通している。
【００４２】
空気通路（11a）には、空気流れの上流側（内気ダクト（12）側）から下流側（給気ダクト（13）側）に向かって順に、プレフィルタ（14）、放電ユニット（20）、触媒フィルタ（15）、熱交換器（16）、及びファン（17）が配置されている。プレフィルタ（14）は、空気中の比較的大きな塵埃を捕集する。放電ユニット（20）は、放電に伴い活性種を生成し、この活性種で空気中の有害成分や臭気成分を分解する。
【００４３】
触媒フィルタ（15）は、例えばハニカム構造の基材の表面に触媒を担持させたものである。この触媒には、マンガン系の触媒や貴金属系の触媒が用いられる。触媒フィルタ（15）は、放電によって生成する活性種を更に活性化し、空気中の有害成分や臭気成分の分解を促進する。触媒フィルタ（15）には、空気中の有害成分や臭気成分を吸着する吸着剤（例えば活性炭）が担持されている。
【００４４】
熱交換器（16）は、空気通路（11a）を流れる空気の加熱と冷却とを行う。具体的に、熱交換器（16）は、図示を省略した冷媒回路に接続されている。冷媒回路では、充填された冷媒が循環して冷凍サイクルが行われる。熱交換器（16）は、その内部を流れる低圧冷媒によって空気を冷却する蒸発器として機能する。また、熱交換器は、その内部を流れる高圧冷媒によって空気を加熱する凝縮器として機能する。ファン（17）は、空気通路（11a）の空気を搬送する。
【００４５】
〈放電ユニットの構成〉
放電ユニット（20）は、ストリーマ放電式に構成されている。つまり、放電ユニット（20）は、ストリーマ放電を行うことで低温プラズマを生成し、これに伴い空気中で反応性の高い活性種（高速電子、イオン、ラジカル、オゾン等）を生成する。放電ユニット（20）は、ケーシング（21）と、該ケーシング（21）に収容される電圧供給部（30）と、該ケーシング（21）に収容される放電処理部（40）とを備えている。
【００４６】
〔ケーシング〕
図２及び図３に示すように、ケーシング（21）は、横長の箱形の略直方体形状に形成されている。ケーシング（21）は、絶縁性の樹脂材料で構成される。ケーシング（21）は、下側ケース部（22）と、該下側ケース部（22）の上部に取り付けられる上側ケース部（23）とで構成されている。ケーシング（21）の内部には、該ケーシング（21）の長手方向（左右方向）の中間部に仕切部（24）が設けられる。仕切部（24）は、ケーシング（21）の内部を左右の２つの空間に仕切っている。これらの空間のうち右側の空間が、収容室（26）を構成し、左側の空間が処理室（27）（通風路）を構成する。
【００４７】
仕切部（24）は、上部仕切壁（23a）と下部仕切壁（51）とによって構成されている。上部仕切壁（23a）は、上側ケース部（23）の内部に一体に形成されている。下部仕切壁（51）は、詳細は後述する絶縁部材（41）に一体に形成されている。仕切部（24）では、上部仕切壁（23a）の下面と下部仕切壁（51）の上面とが互いに接するように両者の仕切壁が上下に隣接して配置される。
【００４８】
図２に示すように、ケーシング（21）の前面には、第１通気孔（28）（流入口）が形成される。第１通気孔（28）は、処理室（27）と連通するようにケーシング（21）の左側寄りの部位に配置される。第１通気孔（28）の奥側には、第１遮蔽板（28a）が設けられている。第１遮蔽板（28a）は、第１通気孔（28）の開口面よりも全体的に大きな矩形板状に形成される。第１遮蔽板（28a）は、放電処理部（40）（具体的には、放電電極（70）の放電針（73,74）等）がケーシング（21）の外部へ露出するのを防止する遮蔽部材を構成している。第１通気孔（28）の開口縁部と第１遮蔽板（28a）の間には隙間（空気流入路）が形成される。第１通気孔（28）に流入した空気は、この隙間を通じて処理室（27）の内部へ流れていく。
【００４９】
図３に示すように、ケーシング（21）の後面には、第２通気口（29）（流出口）が形成される。第２通気口（29）は、処理室（27）と連通するようにケーシング（21）の左側寄りの部位に配置される。第２通気口（29）の奥側には、第２遮蔽板（29a）が設けられている。第２遮蔽板（29a）は、第２通気口（29）の開口面よりも全体的に大きな矩形板状に形成される。第２遮蔽板（29a）は、放電処理部（40）（具体的には、放電電極（70）の放電針（73,74）等）がケーシング（21）の外部へ露出するのを防止する遮蔽部材を構成している。第２通気口（29）の開口縁部と第２遮蔽板（29a）の間には隙間（空気流出路）が形成される。処理室（27）の内部の空気は、この隙間を通じてケーシング（21）の外部へ流れていく。
【００５０】
第１遮蔽板（28a）及び第２遮蔽板（29a）は、ケーシング（21）と一体に形成されている。第１遮蔽板（28a）及び第２遮蔽板（29a）は、ケーシング（21）よりも難燃性の高い樹脂材料で構成される。
【００５１】
図２及び図３に示すように、上側ケース部（23）の右端の前後方向の中間には、スライドカバー（25）が設けられている。スライドカバー（25）は、ケーシング（21）の本体に着脱可能に構成される。スライドカバー（25）を外すと、電圧供給部（30）のコネクタ（32）（図４を参照）がケーシング（21）の外部に露出される。
【００５２】
〔電圧供給部〕
図４に示すように、電圧供給部（30）は、収容室（26）に配置されている。電圧供給部（30）は、外部の電源から供給された電源電圧を放電処理部（40）へ供給するように構成される。電圧供給部（30）は、基板（31）と、コネクタ（32）と、電源トランス（33）と、アース端子部（34）とを備えている。基板（31）は、収容室（26）の底部近傍に設置されている。基板（31）は、左右に横長の板状に形成され、収容室（26）の全域に亘るように配置されている。
【００５３】
コネクタ（32）は、基板（31）の右端部の上面に設置されている。コネクタ（32）は、上述したスライドカバー（25）を取り外すことで、ケーシング（21）の外部に露出される。コネクタ（32）には、外部電源と電気的に繋がる配線が接続される。
【００５４】
電源トランス（33）は、基板（31）の左側寄りの上面に設置されている。電源トランス（33）は、コネクタ（32）を経由して供給された電圧を昇圧するように構成される。電源トランス（33）の左端部には、給電端子部（35）が設けられる。給電端子部（35）には、放電電極（70）の給電板（75）が締結部材（ビス（36））を介して固定される。
【００５５】
アース端子部（34）は、基板（31）の左端寄り且つ後端寄りの上面に設置される。アース端子部（34）には、対向電極（60）のアース板（68）が締結部材（ビス（37））を介して固定される。
【００５６】
給電端子部（35）は、アース端子部（34）よりも相対的に高い位置にある。つまり、給電端子部（35）とアース端子部（34）とは上下方向において互いにずれている。給電端子部（35）は、アース端子部（34）よりも処理室（27）寄りに位置している。つまり、給電端子部（35）とアース端子部（34）とは、左右方向（放電電極（70）や対向電極（60）の長手方向）において互いにずれている。更に、給電端子部（35）は、アース端子部（34）よりも前側寄りに位置している。つまり、給電端子部（35）とアース端子部（34）とは、前後方向にずれている。これにより、給電端子部（35）とアース端子部（34）との間の距離が長くなり、ひいては給電端子部（35）とアース端子部（34）との間の沿面距離が長くなる。
【００５７】
電源トランス（33）には、給電端子部（35）の周囲に内周壁部（38）が形成される。内周壁部（38）は、上方及び左方が開放された絶縁性の樹脂材料で構成される。内周壁部（38）の横断面は、左側が開放したコの字（逆Ｃの字）状に形成される。
【００５８】
内周壁部（38）の周囲には、外周壁部（39）が形成される。外周壁部（39）は、上方及び右方が開放された絶縁性の樹脂材料で構成される。外周壁部（39）の横断面は、右側が開放された逆コの字（Ｃの字）状に形成される。内周壁部（38）と外周壁部（39）との間には、全域に亘って隙間が形成される。
【００５９】
このように、給電端子部（35）の周囲に内周壁部（38）及び外周壁部（39）を設けることで、給電端子部（35）とアース端子部（34）との間の沿面距離が更に長くなる。
【００６０】
〔放電処理部〕
図４及び図５に示すように、放電処理部（40）は、概ね処理室（27）に配置されている。放電処理部（40）は、ストリーマ放電を生起し、空気を浄化するように構成される。放電処理部（40）は、絶縁部材（41）、対向電極（60）、放電電極（70）、及びスタビライザ（80）を備えている。
【００６１】
絶縁部材（41）は、絶縁性の樹脂材料から成り、放電電極（70）と対向電極（60）とを絶縁しながら支持する支持部材を構成している。対向電極（60）及び放電電極（70）は、導電性の金属材料で構成される。対向電極（60）は、アース接続部（69）と電気的に接続され、接地状態となっている。放電電極（70）は、電圧供給部（30）と電気的に接続され、高電圧（例えば７．０ｋＶ）が供給される。電圧供給部（30）から放電電極（70）に電圧が供給されると、両者の電極（60,70）の間でストリーマ放電が行われる。スタビライザ（80）は、導電性の樹脂材料から成り、放電電極（70）と同電位になっている。スタビライザ（80）は、放電電極（70）の近傍で安定した電界を形成するための導電性部材（固定部材）を構成している。
【００６２】
[絶縁部材]
図４に示すように、絶縁部材（41）は、下側ケース部（22）の底部に設置される。図５、図６、及び図９にも示すように、絶縁部材（41）は、埋設部（42）と、基台部（44）と、支持部（47）と、下部仕切壁（51）と、沿面距離拡大部（55）とを備えている。
【００６３】
埋設部（42）は、処理室（27）において下部仕切壁（51）の左側に設置されている。埋設部（42）は、本体部（43）と連接部（45）とを有している。本体部（43）は、下側ケース部（22）の前縁から後縁に亘って延びる直方体状に形成される。連接部（45）は、本体部（43）の右側面の後端部と下部仕切壁（51）との間に連続して形成される。
【００６４】
基台部（44）は、本体部（43）の左側面の前後方向の中間部から左方に向かって延出している。基台部（44）の先端には、横断面が円弧状の円弧部（44a）が形成される。絶縁部材（41）では、基台部（44）から本体部（43）の中間部に亘って長円溝（46）（凹部）が形成される。長円溝（46）は、左右に横長の長円柱状の溝であり、その下側が閉塞され、その上側が開放されている。
【００６５】
支持部（47）は、長円溝（46）の左右方向及び前後方向の中間部に配置されている。支持部（47）は、支持部本体（48）と、支持部本体（48）から上方に突出する突起部（49）（嵌合部）とを有している。支持部本体（48）は、左右に横長の長円形状の横断面を有する柱状に形成される。支持部本体（48）の内部には、支持部本体（48）の下端から上方に向かって延びる中空穴（48a）が形成される（図９を参照）。支持部本体（48）では、中空穴（48a）の周囲に左右に横長の長円形状の内周面（48b）が形成される。
【００６６】
突起部（49）は、支持部本体（48）の左右方向及び前後方向の中間部に配置されている。突起部（49）は、支持部本体（48）と同様、左右に横長の長円形状の横断面を有する柱状に形成される。突起部（49）の高さ、左右の幅、前後の厚みは、いずれも支持部本体（48）のそれらより短い。これにより、支持部本体（48）の上端面には、突起部（49）の周囲に横長の長円形環状の設置面（50）が形成される。この設置面（50）は、略水平な平面状に形成される。支持部（47）には、詳細は後述する放電電極（70）及びスタビライザ（80）が支持される。
【００６７】
下部仕切壁（51）は、下側ケース部（22）の前縁から後縁に亘って延びている。下部仕切壁（51）は、下側ケース部（22）の前側寄りに配置される第１横壁部（52）と、下側ケース部（22）の後側寄りに配置される第２横壁部（53）と、これらの横壁部（52,53）の間から右方向に突出する突出壁部（54）とを有している。第１横壁部（52）及び第２横壁部（53）は、前後に延びる板状に形成される。突出壁部（54）は、左側が開放される横断面がコの字（逆Ｃの字）状に形成され、第１横壁部（52）の後部と第２横壁部（53）の前部とに連続して形成される。第１横壁部（52）と第２横壁部（53）との間には、縦長の隙間が形成され、この隙間が突出壁部（54）の内部に連通している。
【００６８】
沿面距離拡大部（55）は、複数の水平板（56）と複数の鉛直板（57）とが互いに交差するように組み合わされて構成され、これらの一部が下部仕切壁（51）と連続している。このように、下部仕切壁（51）及び沿面距離拡大部（55）は、鉛直ないし水平な面を有する複数の絶縁板が複雑に組み合わされることで、いわゆるラビリンス構造を構成している。この結果、放電電極（70）と対向電極（60）との沿面距離が長くなる。
【００６９】
[対向電極]
図４〜図７、図９に示すように、対向電極（60）は、絶縁部材（41）と一体に成形される。具体的には、対向電極（60）と絶縁部材（41）とは、インサート成型により一体的なユニットとして構成される。対向電極（60）は、全体が同一面上（水平面上）に位置するような平板状に形成される。対向電極（60）は、矩形枠状の対向電極本体（60a）と、対向電極本体（60a）の右辺後部から右方向に延びるアース板（68）とを備えている。
【００７０】
対向電極本体（60a）は、第１対向板（61）、第２対向板（62）、第１連結板（63）、及び第２連結板（64）が組み合わされて構成される。第１対向板（61）は、対向電極本体（60a）の前側に位置し、左右方向に延びている。第２対向板（62）は、対向電極本体（60a）の後側に位置し、左右方向に延びている。第１対向板（61）と基台部（44）の前面の間には、横長の矩形状の第１空隙部（65）が形成される。第２対向板（62）と基台部（44）の後面の間には、横長の矩形状の第２空隙部（66）が形成される。
【００７１】
第１連結板（63）は、対向電極本体（60a）の左側に位置し、前後方向に延びている。第１連結板（63）は、第１対向板（61）の左端と第２対向板（62）の左端とを連結している。第１連結板（63）の内縁（右辺）には、基台部（44）の円弧部（44a）が嵌合する円弧溝（63a）が形成される。第２連結板（64）は、対向電極本体（60a）の右側に位置し、前後方向に延びている。第２連結板（64）は、第１対向板（61）の右端と第２対向板（62）の右端とを連結している。第２連結板（64）は、本体部（43）の上部に埋設されている。
【００７２】
アース板（68）のほとんどの部位は、絶縁部材（41）の埋設部（42）及び水平板（56）の内部に埋設している。アース板（68）の先端部は、水平板（56）から更に右方に延出し、絶縁部材（41）の外部に露出している。このアース板（68）の先端部は、アース接続部（69）を構成している。アース接続部（69）は、略正方形の板状に形成され、その中央にビス（37）が挿通される挿通穴（69a）が形成される。アース接続部（69）は、アース端子部（34）の上面に重なるように配置され、ビス（37）を介してアース端子部（34）に接続される。
【００７３】
[放電電極]
図４、図５、図７〜図９、図１１に示すように、放電電極（70）は、絶縁部材（41）の上方に配置される。放電電極（70）は、全体が同一面上（水平面上）に位置するような薄板状に形成される。放電電極（70）の厚みは、対向電極（60）の厚みと比較して極めて小さい。放電電極（70）は、電極支持板（71）と、該電極支持板（71）の側縁部に支持される複数の放電針（73,74）（放電部）と、電極支持板（71）の右側辺の前端部から右方向に延出する給電板（75）とを備えている。
【００７４】
電極支持板（71）は、基台部（44）の上方に配置される。電極支持板（71）は、基台部（44）に沿うように左右方向に延びている。電極支持板（71）の中央（電極支持板（71）の長手方向及び幅方向の中間部）には、支持部（47）の突起部（49）が嵌まり込む位置決孔（72）（開口穴）が形成される。位置決孔（72）は、突起部（49）の外形に対応するように、左右に横長の長円形状に形成される。位置決孔（72）に突起部（49）が嵌まり込むと、電極支持板（71）が設置面（50）に設置される。これにより、電極支持板（71）の平面度が保たれる。即ち、電極支持板（71）は、設置面（50）によって水平な状態に支持される。また、放電電極（70）と絶縁部材（41）の相対的な位置関係が決定され、ひいては放電電極（70）と対向電極（60）の相対的な位置関係が決定される。
【００７５】
位置決孔（72）に突起部（49）が嵌まり込んだ状態では、突起部（49）の長手方向の端部（左右端部）と位置決孔（72）の内縁との間に僅かな隙間（図示省略）が形成される。つまり、位置決孔（72）の長手方向の最大長さは、突起部（49）の長手方向の最大長さより大きい。これにより、位置決孔（72）の内部では、突起部（49）における長手方向の熱膨張（熱による伸張）が、この僅かな隙間により許容されている。従って、突起部（49）の熱膨張時において、位置決孔（72）の長手方向の両側内縁部に応力が集中することを防止できる。
【００７６】
電極支持板（71）の前縁には、細長い針状ないし棒状の複数の第１放電針（73）が支持されている。複数の第１放電針（73）は、電極支持板（71）の前縁に沿って等間隔を置きながら配列され、電極支持板（71）から前方に向かって真っ直ぐ水平に伸びている。各第１放電針（73）は、互いに平行に配置される。電極支持板（71）の後縁には、細長い針状ないし棒状の複数の第２放電針（74）が支持されている。複数の第２放電針（74）は、電極支持板（71）の後縁に沿って等間隔を置きながら配列され、後方に向かって真っ直ぐ水平に伸びている。各第２放電針（74）は、互いに平行に配置される。電極支持板（71）は、複数の放電針（73,74）の配列方向に延びる横長状に形成される。これにより、電極支持板（71）の前後の側縁部に多数の放電針（73,74）を設けることができる。
【００７７】
本実施形態の放電電極（70）には、１０本の第１放電針（73）と、１０本の第２放電針（74）とが設けられている。これらの放電針（73,74）の本数は、単なる例示である。各第１放電針（73）と各第２放電針（74）とは、前後方向において概ね同軸となっている。なお、各第１放電針（73）と各第２放電針（74）とを左右にずらして配置してもよい。
【００７８】
第１放電針（73）は、第１対向板（61）と平行となり、第２放電針（74）は、第２対向板（62）と平行になっている。第１放電針（73）の先端下部は、第１対向板（61）に対向し、第２放電針（74）の先端下部は、第２対向板（62）に対向している。
【００７９】
給電板（75）は、左側から右側に向かって順に、第１給電部（76）と、第２給電部（77）と、給電接続部（78）とを備えている。第１給電部（76）は、電極支持板（71）の右側辺の前端部から右方に延びている。第２給電部（77）は、第１給電部（76）の先端前縁部に連結し、右方に延びている。第２給電部（77）の一部は、第１横壁部（52）の凹溝（52a）の底部に支持される。第２給電部（77）の先端部は、給電接続部（78）を構成している。給電接続部（78）は、略正方形の板状に形成され、その中央にビス（36）が挿通される挿通穴（78a）が形成される。給電接続部（78）は、給電端子部（35）の上面に重なるように配置され、ビス（36）を介して給電端子部（35）に接続される。
【００８０】
[スタビライザ]
スタビライザ（80）は、支持部（47）及び放電電極（70）の上方に配置されている。図５、図８〜図１１に示すように、スタビライザ（80）は、筒状の筒壁部（81）と、該筒壁部（81）の上端部から左右前後に張り出した庇部（86）とを備えている。
【００８１】
筒壁部（81）は、左右に横長の長円筒状に形成されている。筒壁部（81）の内周下端部には、長円形の環状凸部（82）が形成されている（図５及び図８を参照）。環状凸部（82）は、筒壁部（81）の下端内周面から中心側に向かって突出している。筒壁部（81）の下面と環状凸部（82）の下面とは面一となって水平な平面を構成している。
【００８２】
環状凸部（82）の内部には、左右に横長の長円開口（84）が形成されている。長円開口（84）には、絶縁部材（41）の突起部（49）が嵌まり込む。これにより、スタビライザ（80）は、電極支持板（71）の上側に設置され、スタビライザ（80）、電極支持板（71）、及び対向電極（60）の相対的な位置関係が決定される。長円開口（84）に突起部（49）が嵌まり込んだ状態では、突起部（49）と筒壁部（81）の内周面との間に長円筒状の隙間が形成される。
【００８３】
庇部（86）は、外形が左右に横長の矩形板状に形成されている。筒壁部（81）に突起部（49）が嵌まり込んだ状態では、庇部（86）が略水平な状態となる。庇部（86）の前縁は、第１放電針（73）の先端よりも前方まで張り出している。庇部（86）の後縁は、第２放電針（74）の先端よりも後方まで張り出している。つまり、庇部（86）は、第１放電針（73）及び第２放電針（74）の全域を上側から覆っている。庇部（86）の下面は、水平な平面を構成しており、各放電針（73,74）に沿うようにして該各放電針（73,74）と平行になっている。
【００８４】
−運転動作−
空気調和装置（10）の運転動作について説明する。図１に示す空気調和装置（10）は、冷房運転と暖房運転とを切り換えて行う。空気調和装置（10）のファン（17）が運転されると、室内空間（S）の空気が、内気ダクト（12）を介して空気通路（11a）へ吸引される。この空気は、プレフィルタ（14）を通過する。プレフィルタ（14）では、空気中の比較的大きな塵埃が捕集される。
【００８５】
プレフィルタ（14）を通過した空気は、放電ユニット（20）を通過する（図２を参照）。具体的に、この空気は、ケーシング（21）の第１通気孔（28）より処理室（27）へ流入する。放電ユニット（20）では、電圧供給部（30）の電源トランス（33）から放電電極（70）へ高電圧が供給される。この結果、放電電極（70）の各放電針（73,74）の先端から対向板（61,62）に向かってストリーマ放電が進展する（図１１を参照）。また、高電圧は、放電電極（70）と接続するスタビライザ（80）にも供給される。これにより、放電針（73,74）から対向板（61,62）へ向かうストリーマ放電が安定する。
【００８６】
放電処理部（40）でストリーマ放電が行われると、これに伴い空気中で活性種が生成される。この結果、空気中の有害成分や臭気成分が活性種により酸化・分解され、空気が浄化される。処理室（27）の空気は、活性種とともに第２通気口（29）からケーシング（21）の外部へ流出し（図３を参照）、触媒フィルタ（15）を通過する。触媒フィルタ（15）では、空気中の臭気成分等が吸着される。吸着された臭気成分は、活性種によって分解されることで、吸着剤が再生される。
【００８７】
このようにして浄化された空気は、熱交換器（16）で加熱又は冷却された後、給気ダクト（13）を介して室内空間（S）へ供給される。これにより、室内空間（S）の暖房や冷房が行われるとともに、室内空気の清浄化が行われる。
【００８８】
−放電ユニットの製造工程−
次いで、放電ユニット（20）の製造工程について説明する。この製造工程では、放電処理部（40）を製造する工程と、放電処理部（40）及び電圧供給部（30）をケーシング（21）内にセットする設置工程とが行われる。
【００８９】
〈放電処理部の製造工程〉
放電処理部（40）の製造工程について、図５を参照しながら説明する。放電処理部（40）の製造工程では、絶縁部材（41）、放電電極（70）、及びスタビライザ（80）が下から順に組み立てられる。
【００９０】
第１工程では、絶縁部材（41）と対向電極（60）とがインサート成型によって一体的なユニットとして構成される。
【００９１】
第２工程では、放電電極（70）の位置決孔（72）に絶縁部材（41）の突起部（49）を嵌め込む。これにより、電極支持板（71）が設置面（50）に設置され、放電電極（70）の位置決め、及び仮固定がなされる。
【００９２】
第３工程では、スタビライザ（80）の筒壁部（81）に絶縁部材（41）の突起部（49）を嵌め込む。これにより、スタビライザ（80）の筒壁部（81）が電極支持板（71）の上側に設置される。この状態では、設置面（50）と筒壁部（81）の間に電極支持板（71）が挟まれる。
【００９３】
第４工程では、突起部（49）がスタビライザ（80）及び電極支持板（71）に固定される。具体的に、この固定は、溶音波溶着によって行われる。つまり、超音波によって突起部（49）の先端が溶融され、溶融した樹脂が環状凸部（82）の上側や長円開口（84）の隙間に流れ込む。溶融した樹脂が固化すると、スタビライザ（80）と突起部（49）や、突起部（49）と電極支持板（71）が互いに固定される。この結果、スタビライザ（80）と絶縁部材（41）との間に放電電極（70）が固定ないし支持される。
【００９４】
なお、この第４工程において、スタビライザ（80）と突起部（49）の固定方法は、必ずしも超音波溶着でなくてもよく、例えば熱溶着・振動溶着・接着等の他の固定方法であってもよい。
【００９５】
〈設置工程〉
次いで、ケーシング（21）内に放電処理部（40）及び電圧供給部（30）を組み立てる工程について説明する。この設置工程では、全ての部品が全て下側ケース部（22）の上方から組み付けられる。
【００９６】
まず、上側が開放された状態の下側ケース部（22）の右側寄りの底部（即ち、収容室（26）の底部）に電圧供給部（30）を組み付ける。
【００９７】
次いで、上述のように組み立てられた放電処理部（40）を下側ケース部（22）の左側寄りの底部（即ち、処理室（27）の底部）に組み付ける。この際、図４に示すように、アース接続部（69）はビス（37）を介してアース端子部（34）に接続され、給電接続部（78）はビス（36）を介して給電端子部（35）に接続される。これにより、電圧供給部（30）から放電電極（70）へ電圧の供給が可能となる。
【００９８】
次いで、下側ケース部（22）の上側に上側ケース部（23）を組み付ける。これにより、図２及び図３に示す放電ユニット（20）が得られる。
【００９９】
〈放電電極、絶縁部材、及びスタビライザの詳細な構成と、その作用効果〉
ところで、絶縁部材（41）によって放電電極（70）の電極支持板（71）を支持する構造としては、電極支持板（71）の長手方向の両端をそれぞれ絶縁部材（41）で支持することが考えられる。これにより、放電電極（70）と対向電極（60）の相対的な位置決めを行いつつ、放電電極（70）と対向電極（60）とを絶縁できる。しかし、この構成では、放電ユニット（20）の製造時や使用時において、放電ユニット（20）の周囲温度が変化すると、電極支持板（71）が撓んでしまい、放電針（73,74）と対向電極（60）との距離を最適に維持できないという問題が生じる。
【０１００】
即ち、樹脂製の絶縁部材（41）は、金属製の放電電極（70）と比較して熱膨張係数が高い。このため、例えば放電ユニット（20）の周囲温度が極端に低くなると、絶縁部材（41）の長手方向の熱収縮量が、電極支持板（71）の長手方向の熱収縮量よりも大きくなり、電極支持板（71）が厚さ方向に撓んでしまう虞がある。このように、電極支持板（71）が厚さ方向に撓むと、特に電極支持板（71）の長手方向の中間部寄りの放電針（73,74）と、対向電極（60）との間の電極間距離が変化してしまい、最適なストリーマ放電を継続して行えない、という問題が生じる。
【０１０１】
そこで、本実施形態では、電極支持板（71）のうち中間領域（71a）が絶縁部材（41）の支持部（47）に支持される。図１２に示すように、この中間領域（71a）は、電極支持板（71）において、複数の放電針（73,74）のうち電極支持板（71）の長手方向の両端に配列される２つの放電針（73a,74a）の間に形成される部位（図１２に示す電極支持板（71）におけるハッチングを付した領域）である。つまり、絶縁部材（41）の支持部（47）は、電極支持板（71）の両端部を支持するのではなく、電極支持板（71）の中間寄りの部位を支持する。支持部（47）が電極支持板（71）の両端部を支持する構造とすると、上述したように、周囲温度の変化に起因して電極支持板（71）が撓みやすくなる。これに対し、本実施形態の支持部（47）は、電極支持板（71）の中間領域（71a）を支持するため、絶縁部材（41）が熱収縮しても、電極支持板（71）の中間領域（71a）が極端に撓んでしまうことがない。従って、周囲温度が変化しても、放電針（73,74）と対向電極（60）との間の距離が大きく変化してしまうことがない。
【０１０２】
電極支持板（71）は、複数の放電針（73,74）の配列方向に延びる矩形板状に形成される。このため、電極支持板（71）の前縁部と後縁部とに多数の放電針（73,74）を支持することができ、ストリーマ放電に起因して生成される活性種の量を増大できる。一方、このように電極支持板（71）を放電針（73,74）の配列方向に延ばす形状とすると、電極支持板（71）が撓みやすくなるが、この撓みを絶縁部材（41）の支持部（47）によって防止できる。
【０１０３】
絶縁部材（41）の支持部（47）は、電極支持板（71）の長手方向の中間部を支持している。つまり、絶縁部材（41）は、電極支持板（71）の重心に近い部位を支持するため、電極支持板（71）を安定して支持できる。
【０１０４】
電極支持板（71）の中間領域（71a）は、絶縁部材（41）とスタビライザ（80）の間に挟まれて支持される。このため、放電電極（70）を比較的簡易な構造により支持できる。また、この構造では、放電針（73,74）に力がほとんど作用しない。このため、加工時において、放電針（73,74）が曲がったり、折れたりすることを回避でき、ストリーマ放電を安定して行うことができる。
【０１０５】
庇部（86）は、放電針（73,74）を挟んで対向電極（60）と反対側に設けられる。庇部（86）は、放電針（73,74）と同電位に構成され、且つ放電針（73,74）に沿うように形成される。このように、導電性部材（80）の庇部（86）を設けることで、放電針（73,74）から対向電極（60）に向かう放電の安定化が図られる。この導電性部材（80）と絶縁部材（41）の間に電極支持板（71）の中間領域（71a）が挟まれて支持される。つまり、導電性部材（80）は、放電を安定させるための部材と、放電電極（70）を安定して支持するための固定部材との双方を兼ねている。
【０１０６】
電極支持板（71）の中間領域（71a）の位置決孔（72）に支持部（47）の突起部（49）が内嵌する。これにより、電極支持板（71）と支持部（47）との間の位置決め、ひいては放電電極（70）と対向電極（60）の位置決めが確実になされる。
【０１０７】
中間領域（71a）の位置決孔（72）は、放電針（73,74）の配列方向に延びる横長状に形成され、絶縁部材（41）の突起部（49）が、この位置決孔（72）に対応して横長に形成される。このように中間領域（71a）における突起部（49）の支持する部分が電極支持板（71）の長手方向に拡大されると、電極支持板（71）の中間領域（71a）の撓みを確実に防止できる。
【０１０８】
絶縁部材（41）の支持部（47）は、支持部本体（48）と、該支持部本体（48）の上端から突出する突起部（49）とを有し、この突起部（49）が電極支持板（71）の位置決孔（72）に嵌合することで、絶縁部材（41）の中間領域（71a）が絶縁部材（41）に支持される。絶縁部材（41）では、支持部本体（48）の上端における突起部（49）の周囲に環状の設置面（50）が形成され、この設置面（50）に電極支持板（71）が設置される。設置面（50）は、平面状に形成されるため、この設置面（50）により、電極支持板（71）の平面度を保つことができ、ひいては複数の放電針（73,74）と対向電極（60）との間の距離を最適に管理できる。
【０１０９】
絶縁部材（41）の突起部（49）は、導電性部材（80）の筒壁部（81）の内部に嵌合する。これにより、絶縁部材（41）、放電電極（70）、及び導電性部材（80）のそれぞれの相対的な位置決めがなされ、ひいては放電針（73,74）と対向電極（60）との位置決めや、放電針（73,74）と庇部（86）の位置決めがなされる。電極支持板（71）は、絶縁部材（41）と筒壁部（81）との間に挟まれて支持される。
【０１１０】
図１３に示すように、放電処理部（40）の組立時には、絶縁部材（41）の突起部（49）を放電電極（70）の位置決孔（72）に挿通し、この突起部（49）を更に筒壁部（81）の長円開口（84）に挿通する。この状態において、突起部（49）の先端を超音波によって融解させると、融解した樹脂が突起部（49）と筒壁部（81）の間の隙間に拡がる。また、融解した樹脂は、電極支持板（71）の位置決孔（72）の内縁部近傍まで至る。これらの融解した樹脂が固化すると、筒壁部（81）の内部では、環状凸部（82）の上側に突起部（49）よりも大径の固化部（49a）が形成される。これにより、スタビライザ（80）と絶縁部材（41）とが強固に固定され、筒壁部（81）と設置面（50）との間に放電電極（70）が隙間なく挟まれる。この結果、放電電極（70）の放電針（73,74）、スタビライザ（80）、及び対向電極（60）の高さ方向の距離を所望とする距離に維持できる。
【０１１１】
また、図１２に示すように、放電電極（70）の各寸法は以下のように設定するのが好ましい。まず、電極支持板（71）の位置決孔（72）の長手方向の両端部のうち給電板（75）側の端部と、最も給電板（75）寄りの放電針（73a）までの距離Ｌ１は、２ｍｍ以下であることが好ましい。この距離Ｌ１が２ｍｍより大きくなると、電極支持板（71）におけるこの間の部分が撓んでしまう可能性があるからである。また、同図に示すように、電極支持板（71）の位置決孔（72）の長手方向の両端部のうち給電板（75）側の端部と、給電板（75）の固定端（77a）（即ち、上部仕切壁（23a）と下部仕切壁（51）との間に挟まれる部位）との間の距離Ｌ２は、８ｍｍ以下であることが好ましい。これにより、放電電極（70）におけるこの間の部分の撓みも防止することができる。
【０１１２】
図１２に示すように、放電電極（70）では、給電板（75）の第２給電部（77）の前縁に沿った左右方向の仮想線（図１２に示すの仮想線Ｐ）よりも、第１放電針（73,74）の先端（前端）が電極支持板（71）寄りに位置している。これにより、加工時等において、第１放電針（73）の先端が、アース板（75）よりも前方に突出することがないため、第１放電針（73）が何かに接触したり、このことに起因して曲がったりすることを回避できる。
【０１１３】
−実施形態の効果−
上記実施形態では、絶縁部材（41）が電極支持板（71）の中間領域（71a）を支持するので、温度変化に起因する電極支持板（71）の撓みを抑制できる。この結果、放電針（73,74）と対向電極（60）との間の電極間距離を最適に維持でき、所望とする安定した放電を継続して行うことができる。
【０１１４】
電極支持板（71）は、左右方向に延びる矩形板状に形成されるので、電極支持板（71）の両側の側縁部に多数の放電針（73,74）を支持でき、放電に伴う活性種の生成量を増大できる。この結果、この放電ユニット（20）の空気浄化性能を向上できる。
【０１１５】
絶縁部材（41）の突起部（49）は、電極支持板（71）の長手方向の中間部を支持するため、絶縁部材（41）によって電極支持板（71）を安定して保持することができ、電極支持板（71）の平面度を保つことができる。この結果、放電針（73,74）と対向電極（60）との間の電極間距離を最適に維持できる。
【０１１６】
絶縁部材（41）とスタビライザ（80）との間に電極支持板（71）の中間領域（71a）を挟み込んで支持する構造としているため、放電針（73,74）の支持構造の簡素化を図ることができ、加工コスト、加工時間を低減できる。また、放電針（73,74）の折れ曲がりを回避でき、安定した放電を行うことができる。
【０１１７】
放電針（73,74）における対向電極（60）と反対側に放電電極（70）と同電位の庇部（86）を設けることで、放電針（73,74）から対向電極（60）に向かって安定した放電を行うことができる。庇部（86）を有する導電性部材（80）は、絶縁部材（41）との間に電極支持板（71）を挟み込む部材を兼ねるため、部品点数を削減できる。
【０１１８】
電極支持板（71）の位置決孔（72）に突起部（49）を嵌合させることで、放電針（73,74）と対向電極（60）との位置決めを行うことができる。また、簡易な構成により、絶縁部材（41）に電極支持板（71）を支持できる。
【０１１９】
中間領域（71a）に横長の位置決孔（72）を形成し、この位置決孔（72）に横長の突起部（49）を嵌合させることで、中間領域（71a）における撓みを一層確実に防止できる。
【０１２０】
絶縁部材（41）の支持部本体（48）における突起部（49）の周囲に平面状の設置面（50）を形成し、この設置面（50）に電極支持板（71）を設置している。この結果、電極支持板（71）の平面度を保つことができ、放電針（73,74）と対向電極（60）との間の電極間距離を最適に維持できる。
【０１２１】
導電性部材（80）の筒壁部（81）の内部に突起部（49）を内嵌させることで、庇部（86）、放電針（73,74）、及び対向電極（60）との間の相対的な位置決めを行うことができ、放電針（73,74）から対向電極（60）に向かって更に安定した放電を行うことができる。また、筒壁部（81）を庇部（86）と放電針（73,74）との間の距離を保つためのスペーサとして利用できる。
【０１２２】
筒壁部（81）に内嵌された嵌合部（49）を超音波溶着させることで、導電性部材（80）と絶縁部材（41）とを強固に固定でき、導電性部材（80）と絶縁部材（41）の間に放電電極（70）を確実に支持できる。
【０１２３】
−実施形態の変形例−
図１４及び図１５に示すように、上述した実施形態の絶縁部材（41）、放電電極（70）、及びスタビライザ（80）を以下のような変形例の構成としてもよい。
【０１２４】
変形例に係る放電処理部（40）では、絶縁部材（41）の支持部本体（48）に２つの突起部（49）が形成されている。これらの突起部（49）は、支持部本体（48）の長手方向に隣り合って配置される。これにより、支持部本体（48）の上端面には、２つの突起部（49）以外の部位に平面状の設置面（50）が形成される。
【０１２５】
放電電極（70）の電極支持板（71）には、これらの２つの突起部（49）に対応するように、２つの位置決孔（72）が形成される。これらの位置決孔（72）は、電極支持板（71）の長手方向に隣り合って配置される。つまり、電極支持板（71）は、各突起部（49）が対応する各位置決孔（72）に嵌合することで、絶縁部材（41）の設置面（50）に設置される。
【０１２６】
図１５に示すように、スタビライザ（80）には、２つの筒壁部（81）が形成される。各筒壁部（81）は、各突起部（49）及び各位置決孔（72）に対応する位置にある。スタビライザ（80）は、２つの突起部（49）が各筒壁部（81）の各長円開口（84）に挿通されることで、絶縁部材（41）に支持される。各筒壁部（81）の内部の各突起部（49）は、上記実施形態と同様にして、超音波溶着によりスタビライザ（80）ないし放電電極（70）に固定される。
【０１２７】
この変形例においても、絶縁部材（41）は、電極支持板（71）の中間領域（71a）を支持するため、温度変化に起因する電極支持板（71）の撓みを防止できる。なお、図１４に示すように、２つの位置決孔（72）の間の間隔Ｌ３は、１０ｍｍ以下であることが好ましい。間隔Ｌ３が１０ｍｍよりも大きくなると、この間の部分が撓んでしまう可能性があるからである。また、突起部（49）、位置決孔（72）、及び筒壁部（81）の数量は、それぞれ３つ以上であってもよい。
【０１２８】
変形例に係る放電ユニット（20）のその他の作用効果は、上述した実施形態と同様である。
【０１２９】
《その他の実施形態》
上記実施形態については、以下のような構成としてもよい。
【０１３０】
電極支持板（71）の中間領域（71a）には、電極支持板（71）の長手方向に延びる開口穴（72）を形成しているが、例えばこの開口穴（72）を円形や略正方形状に形成し、電極支持板（71）の長手方向に配列してもよい。この場合、中間領域（71a）に多数の開口穴（72）を形成し、これらの開口穴（72）に対応して多数の突起部（49）や多数の筒壁部（81）を設ければよい。
【０１３１】
上述した実施形態の空気調和装置（10）は、天井（C）裏に設置されるものである。しかし、例えば壁掛式、天井埋込式、天井吊式等の他の方式の空気調和装置に本発明に係る放電ユニット（20）を適用してもよい。また、本実施形態に係る放電ユニット（20）を空気清浄機に適用してもよい。
【０１３２】
上述した実施形態の放電部は、細長い線状ないし棒状の放電針（73,74）で構成されている。しかしながら、放電部の形状はこれに限らず、以下の図１６〜図１８に示す形状であってもよい。
【０１３３】
図１６に示す複数の放電部（74）は、テーパ板部（91）と突出板部（92）とを有している。各放電部（74）は、電極支持板（71）の側縁部に沿って配列され、いわゆる櫛状の電極を構成している。電極支持板（74）の側縁部では、隣り合う放電部（74）の間に円弧状の凹み（90）がそれぞれ形成されている。テーパ板部（91）は、電極支持板（71）の側縁部から遠くなるにつれて徐々に幅が縮小される形状をしている。突出板部（92）は、テーパ板部（91）の先端から連続し更に延出している。突出板部（92）の本体部は幅が同一形状となっており、該突出板部（92）の先端は円弧状ないし半円形状に形成されている。図１６では、電極支持板（71）の幅方向の片側のみの放電部（74）を示しているが、放電部（74）は、電極支持板（71）の幅方向のいずれか一方又は両方に形成することができる。
【０１３４】
図１７に示す複数の放電部（74）は、電極支持板（71）の側縁部から突出する先鋭な三角形状（二等辺三角形状）をしている。各放電部（74）は、電極支持板（71）の側縁部に沿って配列され、いわゆる鋸歯状の電極を構成している。図１７では、電極支持板（71）の幅方向の片側のみの放電部（74）を示しているが、放電部（74）は、電極支持板（71）の幅方向のいずれか一方又は両方に形成することができる。
【０１３５】
図１８に示す複数の放電部（74）は、横長の矩形状の矩形板部（93）と、該矩形板部（93）の先端に形成される円弧板部（94）とを有している。複数の放電部（74）は、電極支持板（71）の側縁部に沿って配列され、いわゆる鋸歯状の電極を構成している。矩形板部（93）は、基端から先端に亘って幅が同じに構成される。円弧板部（94）は、矩形板部（93）の先端に連続的に形成され円弧状、半円形状、楕円弧状等に形成されている。図１８では、電極支持板（71）の幅方向の片側のみの放電部（74）を示しているが、放電部（74）は、電極支持板（71）の幅方向のいずれか一方又は両方に形成することができる。
【産業上の利用可能性】
【０１３６】
以上説明したように、本発明は、放電ユニットについて有用である。
【符号の説明】
【０１３７】
20     放電ユニット
30     電圧供給部
41     絶縁部材
47     支持部
48     支持部本体
49     突起部（嵌合部）
50     設置面
60     対向電極
70     放電電極
71     電極支持板
71a    中間領域
72     位置決孔（開口穴）
73     第１放電針（放電部）
74     第２放電針（放電部）
80     スタビライザ（導電性部材、固定部材）
81     筒壁部
86     庇部
【要約】
【課題】周囲温度の変化に起因して放電部と対向電極の距離を最適に維持できなくなることを抑制する。
【解決手段】放電電極（70）は、金属材料で構成され、板状の電極支持板（71）と、電極支持板（71）の側縁部に沿って配列され、対向電極（60）に対向するように電極支持板（71）の側縁部に支持される複数の放電部（73,74）とを有する。絶縁部材（41）は、電極支持板（71）における、複数の放電部（73,74）のうち両端に配置される放電部（73a,74a）の間の中間領域（71a）を支持する支持部（47）を有する。
【選択図】図１２【図１】
0005896069.tif 000002
【図２】
0005896069.tif 000003
【図３】
0005896069.tif 000004
【図４】
0005896069.tif 000005
【図５】
0005896069.tif 000006
【図６】
0005896069.tif 000007
【図７】
0005896069.tif 000008
【図８】
0005896069.tif 000009
【図９】
0005896069.tif 000010
【図１０】
0005896069.tif 000011
【図１１】
0005896069.tif 000012
【図１２】
0005896069.tif 000013
【図１３】
0005896069.tif 000014
【図１４】
0005896069.tif 000015
【図１５】
0005896069.tif 000016
【図１６】
0005896069.tif 000017
【図１７】
0005896069.tif 000018
【図１８】
0005896069.tif 000019